(57)【要約】【課題】複数の光ディスクから構成されたタイトルの再生時に光ディスクの入れ替えをユーザに促している状態で当該光ディスクが収容されたままタイトルを再生できない又はしない状態に設定された場合、タイトルを再生可能な後の機会に光ディスクの取り扱いをユーザに促すことができる光ディスク再生装置を提供すること。【解決手段】光ディスク再生装置は、光ディスクを収容する収容部と、収容された光ディスクに記録されたデータに基づいて再生されるタイトルの映像及び音声の出力を制御する信号処理部とを有する。信号処理部は、光ディスクの交換要求画面をモニタに出力しているときに、タイトルを構成する複数の光ディスクの１つが収容部に収容された状態のまま、当該光ディスク再生装置がタイトルを再生できない又はしない状態に設定された後、タイトルを再生可能な状態に再び設定されたとき、収容されている光ディスクの取り扱いをユーザに促す画面をモニタに出力する。【選択図】図２
2012190524.tif 000002
【特許請求の範囲】
【請求項１】
複数の光ディスクから構成されたタイトルを再生する光ディスク再生装置であって、
光ディスクを収容する収容部と、
前記収容部に収容された光ディスクに記録されたデータに基づいて再生されるタイトルの映像及び音声の出力を制御する信号処理部と、を有し、
前記信号処理部は、
前記収容部に収容された光ディスクの交換要求画面をモニタに出力しているときに、前記タイトルを構成する前記複数の光ディスクの１つが前記収容部に収容された状態のまま、当該光ディスク再生装置がタイトルを再生できない又はしない状態に設定された後、タイトルを再生可能な状態に再び設定されたとき、前記収容部に収容されている光ディスクの取り扱いを当該光ディスク再生装置のユーザに促す取扱判断選択画面を前記モニタに出力することを特徴とする光ディスク再生装置。
【請求項２】
請求項１に記載の光ディスク再生装置であって、
前記タイトルを再生できない状態とは、当該光ディスク再生装置の電源が切られた状態であることを特徴とする光ディスク再生装置。
【請求項３】
請求項１又は２に記載の光ディスク再生装置であって、
前記タイトルを再生しない状態とは、当該光ディスク再生装置の動作モードがタイトルを再生可能なモード以外のモードに設定された状態であることを特徴とする光ディスク再生装置。
【請求項４】
請求項１〜３のいずれか一項に記載の光ディスク再生装置であって、
前記取扱判断選択画面は、前記収容部に収容された光ディスクを再生するか、前記タイトルを構成する他の光ディスクに入れ替えるかを選択するよう前記ユーザに促す画面であることを特徴とする光ディスク再生装置。
【発明の詳細な説明】
【技術分野】
【０００１】
本発明は、ＢＤ−ＲＯＭなどの記録媒体に記録されたデータを再生する光ディスク再生装置に関する。
【背景技術】
【０００２】
近年、高画質および高音質で高度なインタラクティブ機能を有する情報を記録した大容量の光ディスクを再生する光ディスク再生装置が普及している。
【０００３】
上記のような大容量の光ディスクの代表的なものとして、ブルーレイディスク（Ｂｌｕ−ｒａｙ  Ｄｉｓｃ（登録商標））（以下「ＢＤ」と略記する）がある。ＢＤは、膨大なデータ容量（単層で２５ギガバイト（ＧＢ）、２層で５０ＧＢ）を備えており、ハイビジョン画質の映画コンテンツを蓄積することもできる。ＢＤを用いた市販のまたはレンタル用のソフトウェア製品（パッケージソフトウェア）は、製造過程で書込まれたデータに対して追記または書き換えができない読み出し専用メディアであるＢＤ−ＲＯＭ（Ｂｌｕｒａｙ  Ｄｉｓｃ  Ｒｅａｄ−Ｏｎｌｙ−Ｍｅｍｏｒｙ）により提供されている。
【０００４】
ＢＤ−ＲＯＭに関しては、ＨＤＭＶ（Ｈｉｇｈ  Ｄｅｆｉｎｉｔｉｏｎ  Ｍｏｖｉｅ）モードおよびＢＤ−Ｊ（Ｂｌｕ−ｒａｙ  Ｄｉｓｃ  Ｊａｖａ）モードという二つの仕様が策定されている。
【０００５】
ＨＤＭＶモードは、従来のＤＶＤ−ＲＯＭ（Ｄｉｇｉｔａｌ  Ｖｅｒｓａｔｉｌｅ  Ｄｉｓｃ  Ｒｅａｄ−Ｏｎｌｙ−Ｍｅｍｏｒｙ）に対して、映像および音声のコーデック仕様が拡張されたものであり、高詳細映像および高品質音声が利用可能である。なお、コンテンツ仕様は、ＤＶＤ−ＲＯＭと同様である。なお、以下の説明では、ＨＤＭＶモードのタイトル（コンテンツ）を「ＨＤＭＶタイトル」という。
【０００６】
ＢＤ−Ｊモードは、ＨＤＭＶモードに対して、Ｊａｖａ（登録商標）アプリケーションによって、映像を重ね合わせるなどのビジュアル的な表現を追加することができる。なお、以下の説明では、ＢＤ−Ｊモードのタイトル（コンテンツ）を「ＢＤ−Ｊタイトル」という。
【０００７】
映像および音声のデジタルストリームを収録し、かつＪａｖａ（登録商標）アプリケーションを記録するＢＤ−Ｊタイトルは、複数枚のＢＤにより構成されている場合がある。この場合、光ディスク再生装置は、ＢＤの再生位置が終端に到達したときに、次のＢＤに入れ替えることを促す映像（以下「ディスク交換要求画面」という）を表示する機能を実装することができる。なお、このようなディスク交換要求画面の表示およびキャッシュパッケージ管理に関する制御機能は、「ディスクアンバウンド（Disc Unbound）」と呼ばれる。
【先行技術文献】
【特許文献】
【０００８】
【特許文献１】特表２００８−５０７７９５号公報
【発明の概要】
【発明が解決しようとする課題】
【０００９】
車載型の光ディスク再生装置等は、一般に、光ディスク再生モード以外に、例えば、ナビゲーション、ラジオ放送および地上デジタル放送といった様々なモードを備えている。ユーザは、光ディスク再生装置の動作モードの切替操作を行うことにより、所望の機能を光ディスク再生装置に実行させることができる。
【００１０】
このような車載型の光ディスク再生装置がＢＤ−Ｊモードに対応した装置であっても、上記説明したディスク交換要求画面の表示中にユーザがディスクを交換しないまま光ディスク再生モード以外のモードに切り替えて、光ディスク再生モードに再び設定した際、当該光ディスク再生装置は、挿入されているＢＤ−ＪタイトルのＢＤを先頭から再生する。同様に、ディスク交換要求画面の表示中にユーザが電源を切ると、ユーザが再び電源を入れた際、当該光ディスク再生装置は、挿入されているＢＤ−ＪタイトルのＢＤを先頭から再生する。
【００１１】
このように、ユーザが他のモードに切り替えたり電源を切ると、ＢＤ−ＪタイトルのＢＤであってもその再生位置はレジュームされないため、ユーザが光ディスク再生モードに再び設定したり電源を入れた際には、ＢＤが無条件に先頭から再生されてしまう。
【００１２】
本発明の目的は、複数の光ディスクから構成されたタイトルの再生時に光ディスクの入れ替えをユーザに促している状態で当該光ディスクが収容されたままタイトルを再生できない又はしない状態に設定された場合、タイトルを再生可能な後の機会に光ディスクの取り扱いをユーザに促すことができる光ディスク再生装置を提供することである。
【課題を解決するための手段】
【００１３】
本発明は、複数の光ディスクから構成されたタイトルを再生する光ディスク再生装置であって、光ディスクを収容する収容部と、前記収容部に収容された光ディスクに記録されたデータに基づいて再生されるタイトルの映像及び音声の出力を制御する信号処理部と、を有し、前記信号処理部は、前記収容部に収容された光ディスクの交換要求画面をモニタに出力しているときに、前記タイトルを構成する前記複数の光ディスクの１つが前記収容部に収容された状態のまま、当該光ディスク再生装置がタイトルを再生できない又はしない状態に設定された後、タイトルを再生可能な状態に再び設定されたとき、前記収容部に収容されている光ディスクの取り扱いを当該光ディスク再生装置のユーザに促す取扱判断選択画面を前記モニタに出力することを特徴とする光ディスク再生装置を提供する。
【発明の効果】
【００１４】
本発明に係る光ディスク再生装置によれば、複数の光ディスクから構成されたタイトルの再生時に光ディスクの入れ替えをユーザに促している状態で当該光ディスクが収容されたままタイトルを再生できない又はしない状態に設定された場合、タイトルを再生可能な後の機会に光ディスクの取り扱いをユーザに促すことができる。
【図面の簡単な説明】
【００１５】
【図１】本発明の一実施の形態に係る光ディスク再生装置のシステムとしての使用形態を説明するための図
【図２】本発明の一実施の形態に係る光ディスク再生装置の構成を示すブロック図
【図３】ＢＤ−ＲＯＭのファイル構成を説明するための図
【図４】図３に示すＩｎｄｅｘ．ｂｄｍｖとタイトルとの関係を説明するための図
【図５】タイトル再生画面の一例を示す図
【図６】マスク画面の一例を示す図
【図７】本発明の一実施の形態に係るディスク交換要求画面の一例を示す図
【図８】光ディスク再生停止中の表示画面の一例を示す図
【図９】取扱判断選択画面の一例を示す図
【図１０】本発明の一実施の形態に係る光ディスク再生装置における画面表示制御の動作を説明するためのフロー図
【図１１】本発明の一実施の形態に係る光ディスク再生装置における画面表示制御の動作を説明するためのフロー図
【図１２】本発明の一実施の形態に係る光ディスク再生装置における画面表示制御の動作を説明するためのフロー図
【図１３】本発明の一実施の形態に係る光ディスク再生装置における画面表示制御の動作を説明するためのフロー図
【発明を実施するための形態】
【００１６】
以下、本発明の実施の形態について、図面を用いて詳細に説明する。
【００１７】
図１は、本発明の一実施の形態に係る光ディスク再生装置（以下「再生装置」と略記する）の、システムとしての使用形態を説明するための図である。図１に示す本実施の形態の再生装置１００は車載型であり、つまり、車両に設置して使用されるものである。
【００１８】
再生装置１００は、収容部としてのディスクトレイ１０１を有し、ディスクトレイ１０１にＢＤ−ＲＯＭ１０などの光ディスクを収容することができる。すなわち、ディスクトレイ１０１は、再生装置１００に挿入された光ディスクを収容し、かつ、光ディスクが再生装置１００に対して挿排自在となるように構成されている。
【００１９】
なお、本実施の形態では、ＢＤ−ＲＯＭ１０には、映画作品または音楽ライブ映像などのＡＶ（Ａｕｄｉｏ−Ｖｉｓｕａｌ）コンテンツのデータが記録されているものとする。また、本実施の形態では、再生装置１００により、ＢＤ−ＲＯＭ１０に記録されたデータから映像および音声を再生する場合を例にとって説明する。
【００２０】
再生装置１００は、カードスロット１０２を有し、カードスロット１０２にリムーバブルメディア１１を収容することができる。
【００２１】
再生装置１００は、モニタ１３およびスピーカ１４と通信可能に接続されている。なお、接続形態は有線であっても無線であってもよい。また、図１に示す使用形態では、モニタ１３の数もスピーカ１４の数も１つであるが、複数存在してもよい。ただし、以下の説明では、説明の便宜上、モニタ１３の数が１つであることを前提とする。
【００２２】
モニタ１３は、映像を表示する装置である。再生装置１００により再生される映像はモニタ１３により出力される。モニタ１３は、再生装置１００からの操作メニュー用データに基づいて操作メニューを表示する機能も有する。よって、ユーザはモニタ１３に表示された操作メニューを見ながら、再生装置１００に設けられた操作ボタン（図示せず）あるいはリモコン１５を用いて再生装置１００を操作することができる。また、モニタ１３はタッチパネル１６を備えているため、ユーザは、表示中の操作メニュー内の操作ボタンを押すことにより、再生装置１００を操作することもできる。
【００２３】
スピーカ１４は、音声を出力する装置である。再生装置１００により再生される音声はスピーカ１４により出力される。
【００２４】
再生装置１００は、インターネットを介してＷＷＷ（Ｗｏｒｌｄ  Ｗｉｄｅ  Ｗｅｂ）サーバ１２と通信可能に接続されている。本実施の形態では、再生装置１００は車載型であるため、ＷＷＷサーバ１２との接続形態は通常、無線である。
【００２５】
再生装置１００は、車両に設けられた走行状態センサ２０にも接続されている。走行状態センサ２０は、例えば車速またはサイドブレーキもしくはシフトレバーの状態を検知し得るセンサであって、車両が走行状態か停車状態かの判断に供する情報を取得するものである。
【００２６】
図２は、再生装置１００の構成を示すブロック図である。図２において、再生装置１００は、ピックアップ１１１、サーボ１１２、ローカルストレージ１１３、ネットワークインターフェース１１４、信号処理部１１５、出力部１１６、入力信号受信部１１７および走行状態情報取得部１１８を有する。信号処理部１１５は、画面情報保持部１２１、再生終端位置検知部１２２、ユーザ操作部１２３および無音状態監視タイマ１２４を有する。
【００２７】
サーボ１１２は、ピックアップ１１１を制御する。具体的には、サーボ１１２は、ピックアップ１１１をＢＤ−ＲＯＭ１０の半径方向において移動（シーク）させたり、あるいはＢＤ−ＲＯＭ１０の軸方向において移動（フォーカス）させたりすることにより、ピックアップ１１１の位置を調整する装置である。
【００２８】
ピックアップ１１１は、サーボ１１２の制御下でＢＤ−ＲＯＭ１０からデータを取得し、取得されたデータを信号処理部１１５に送る。
【００２９】
出力部１１６は、図１に示すモニタ１３およびスピーカ１４といった装置を含むものである。
【００３０】
走行状態情報取得部１１８は、図１に示す走行状態センサ２０とのインターフェースであり、走行状態センサ２０から、走行状態の検知結果を示す走行状態情報を取得する。走行状態センサ２０から取得された走行状態情報は信号処理部１１５に送られる。
【００３１】
信号処理部１１５は、例えばＣＰＵ（Ｃｅｎｔｒａｌ  Ｐｒｏｃｅｓｓｉｎｇ  Ｕｎｉｔ）などの演算処理装置にて所定のソフトウェアプログラムを実行することにより実現される。信号処理部１１５は、ピックアップ１１１によりＢＤ−ＲＯＭ１０から取得されたデータ（以下「ＢＤデータ」ともいう）を処理する。ここで、ＢＤデータの処理は主としてデコードであるが、信号処理部１１５は、ＢＤデータに基づく映像に別の映像を重畳する映像処理などを行うこともできる。
【００３２】
信号処理部１１５は、ローカルストレージ１１３に保存されているデータ、およびネットワークインターフェース１１４を介して外部（例えば図１のＷＷＷサーバ１２）からダウンロードされたデータも処理する。
【００３３】
ここで、ローカルストレージ１１３のデータおよびネットワークインターフェース１１４を介して取得されるデータは主に、ＢＤデータのアプリケーション（例えば、ＢＤ−Ｊタイトルの制御プログラムであるＪａｖａ（登録商標）アプリケーション）である。ローカルストレージ１１３は、例えば図１に示すリムーバブルメディア１１である。
【００３４】
すなわち、信号処理部１１５は、上記処理において、コンテンツ制御プログラムを適宜使用してＢＤデータに基づくＡＶコンテンツを再生するように、構成されたものである。
【００３５】
再生装置１００の動作モードが光ディスク再生モード（以下「再生モード」と略記する）であるとき、信号処理部１１５は、ＢＤデータに対して信号処理を施した結果として得られる映像データおよび音声データを、出力部１１６に送る。これにより、ＢＤ−ＲＯＭ１０に蓄積されているＡＶコンテンツを出力することができる。
【００３６】
再生装置１００の動作モードが他モード（つまり再生モード以外のモード）であるとき、信号処理部１１５は、入力信号受信部１１７を介して受信された入力信号に含まれる映像データおよび音声データを、出力部１１６に送る。これにより、他のソースからのＡＶコンテンツ（カーナビゲーション画像、地上デジタル放送およびラジオ放送など）を出力することができる。
【００３７】
また、信号処理部１１５は、図１のリモコン１５などを用いたユーザ操作の内容を受け、その操作が受付可能かどうかを判断し、受付可能な場合にはユーザ操作部１２３にその操作を実行させる。
【００３８】
また、信号処理部１１５は、再生装置１００に最初から組み込まれているユーザインターフェースを図１のモニタ１３などへ表示させる機能も有する。ここで、ユーザインターフェースとは、再生装置１００の内蔵メモリ（図示せず）にプログラムとして保持されており、再生装置１００の機能としてモニタ１３に表示される再生ボタンおよび停止ボタンなどである。
【００３９】
したがって、ユーザがリモコン１５またはタッチパネル１６を用いて操作を行うと、信号処理部１１５は、入力されたユーザ操作を各ボタンの機能と結びつけて、操作されたボタンの動作をユーザ操作部１２３に実行させる。
【００４０】
画面情報保持部１２１は、信号処理部１１５に含まれるものであり、必要に応じて出力部１１６（図１のモニタ１３）から出力すべき映像（画面）のベースとなる画面情報を保持する。この画面情報は、ＢＤ−Ｊタイトル再生中にＢＤ−ＲＯＭ１０から読み出されるものではなく、予め再生装置１００の内蔵メモリ（図示せず）にデータとして記録されているものである。
【００４１】
再生終端位置検知部１２２は、信号処理部１１５に含まれるものであり、ＢＤ−Ｊアプリケーション（詳しくは後述する）が記録されたＢＤ−ＲＯＭディスク内のディスクアンバウンド情報により、再生終端位置か否かを検知する。
【００４２】
無音状態監視タイマ１２４は、信号処理部１１５に含まれるものであり、ＢＤ−Ｊタイトル再生中にデコードされた音声データが無音状態である時間を監視および計測するタイマである。
【００４３】
以上、本実施の形態の再生装置１００の構成について説明した。
【００４４】
なお、再生装置１００の構成は、適宜変更可能である。例えば、本実施の形態では、再生装置１００が他モードであるとき、他のソースからの入力信号が再生装置１００を経由して出力部１１６に供給されるような構成が採られている。しかし、再生装置１００が他モードであるとき、他のソースからの入力信号が再生装置１００を経由せずに出力部１１６に供給されるようにしてもよい。
【００４５】
ここで、ＢＤ−ＲＯＭ１０のファイル構成について説明する。
【００４６】
図３は、ＢＤ−ＲＯＭ１０のファイル構成を示す図である。ＢＤ−ＲＯＭ１０は、他種の光ディスク（ＤＶＤおよびＣＤなど）と同様に、その内周から外周に向けて螺旋状に記録領域を有し、内周部のリード・インと外周部のリード・アウトとの間に論理データを記録できる論理アドレス空間を有する。リード・インの内側にはＢＣＡ（Ｂｕｒｓｔ  Ｃｕｔｔｉｎｇ  Ａｒｅａ）と呼ばれる、ドライブでしか読み出せない特別な領域が設けられている。この領域は、アプリケーションから読み出すことができないため、一般に、例えば著作権保護技術などに利用されている。
【００４７】
論理アドレス空間には、ファイルシステム情報（ボリューム）を先頭に映像データなどのアプリケーションデータが記録されている。ファイルシステムとは、ユニバーサルディスクフォーマット（ＵＤＦ）およびＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）９６６０などのことである。よって、通常のＰＣ（Ｐｅｒｓｏｎａｌ  Ｃｏｍｐｕｔｅｒ）と同様に、論理アドレス空間に記録されている論理データは、ディレクトリ・ファイル構造を使って読み出すことができる。このファイルシステムにおけるファイルの配置位置は、ディレクトリ名およびファイル名（一般に最大２５５文字）の組合せであるファイル経路情報（ファイルパス）によって特定される。
【００４８】
本実施の形態の場合、ＢＤ−ＲＯＭ１０のディスク上のディレクトリ・ファイル構造では、ルートディレクトリ（ＲＯＯＴ）直下にＢＤＭＶディレクトリおよびｂｄ．ｃｅｒｔファイルが配置されている。ＢＤＭＶディレクトリは、ＢＤ−ＲＯＭ１０で扱うＡＶコンテンツおよび管理情報などのデータが記録されているディレクトリである。ｂｄ．ｃｅｒｔ（ファイル名固定）は、仮想パッケージのために追加されたコンテンツをＢＤ−ＲＯＭ１０上のデータとマージする際に、署名検証に用いられる証明書である。
【００４９】
ＢＤＭＶディレクトリには、ｉｎｄｅｘ．ｂｄｍｖおよびＭｏｖｉｅＯｂｊｅｃｔ．ｂｄｍｖといった２種類のファイルが配置されている。
【００５０】
ＭｏｖｉｅＯｂｊｅｃｔ．ｂｄｍｖは、ムービーオブジェクト（Ｍｏｖｉｅ  Ｏｂｊｅｃｔ）を格納するファイルである。
【００５１】
ｉｎｄｅｘ．ｂｄｍｖ（ファイル名固定）は、ＢＤ−ＲＯＭ１０全体に関する管理情報を格納するファイルである。ｉｎｄｅｘ．ｂｄｍｖは、ｏｒｇａｎｉｚａｔｉｏｎＩＤ（３２ｂｉｔ）およびｄｉｓｃＩＤ（１２８ｂｉｔ）など、様々な情報を有する。ｏｒｇａｎｉｚａｔｉｏｎＩＤは、映画作品などのプロバイダを特定する識別子である。ｄｉｓｃＩＤは、映画作品などのプロバイダから提供されるＢＤ−ＲＯＭ１０のそれぞれに割り当てられた識別子である。
【００５２】
ＢＤ−ＲＯＭ１０を再生装置１００に挿入した後に、ｉｎｄｅｘ．ｂｄｍｖを最初に読み出すことにより、再生装置１００においてＢＤ−ＲＯＭ１０を一意に認識することができる。
【００５３】
加えて、ｉｎｄｅｘ．ｂｄｍｖには、ＢＤ−ＲＯＭ１０に記録されている再生可能な複数のタイトルと、個々のタイトルを規定するＢＤ−Ｊオブジェクトとを対応付けて示すインデックステーブル（Ｉｎｄｅｘ  Ｔａｂｌｅ）が含まれる。ｉｎｄｅｘ．ｂｄｍｖとタイトルとの関係については後述する。
【００５４】
ＢＤＭＶディレクトリの配下には、ＰＬＡＹＬＩＳＴディレクトリ、ＣＬＩＰＩＮＦディレクトリ、ＳＴＲＥＡＭディレクトリ、ＢＤＪＯディレクトリおよびＪＡＲディレクトリと呼ばれる５つのサブディレクトリが存在する。
【００５５】
ＳＴＲＥＡＭディレクトリには、拡張子ｍ２ｔｓが付与されたファイル（＊＊＊＊．ｍ２ｔｓ）が存在する。このファイルには、ビデオストリーム、オーディオストリームおよびグラフィックストリームを多重化してなるＡＶストリームが格納される。
【００５６】
ＣＬＩＰＩＮＦディレクトリには、拡張子ｃｌｐｉが付与されたファイル（＊＊＊＊．ｃｌｐｉ）が存在する。このファイルには、ＡＶストリームに１対１に対応する管理情報が格納される。
【００５７】
ＰＬＡＹＬＩＳＴディレクトリには、拡張子ｍｐｌｓが付与されたファイル（＊＊＊＊．ｍｐｌｓ）が存在する。このファイルには、ＡＶストリームにおける論理的な再生経路を定義するプレイリスト情報が格納される。プレイリスト情報は、１つ以上のプレイアイテム情報により構成される。プレイアイテム情報は、ＡＶストリームの再生区間を示すものであり、プレイリスト情報において、再生されるべき順序で記述されている。
【００５８】
各プレイリスト情報は、ユーザ操作を制限する情報（ユーザ操作制限情報）を記述するフィールドを有する。あるプレイリスト情報において、早送り、停止または一時停止などのユーザ操作の禁止を指定するユーザ操作制限情報が記述されている場合、信号処理部１１５は通常、そのプレイリスト情報に対応する再生区間の再生途中では、禁止されたユーザ操作を受け付けないように、動作する。
【００５９】
コンテンツによって一時停止操作が禁止される区間としては、光ディスク挿入後に再生されるファーストプレイバック、トップメニュー、およびトップメニューではないがユーザー選択が可能なボタン画面が表示されているメニュータイトルなどが、挙げられる。
【００６０】
ファーストプレイバックとしては、他パッケージソフトウェアの紹介、映画の予告編、または音場再生技術のデモコンテンツなどがある。
【００６１】
各プレイアイテム情報も、ユーザ操作制限情報を記述するフィールドを有する。あるプレイアイテム情報において、早送り、停止または一時停止などのユーザ操作の禁止を指定するユーザ操作制限情報が記述されている場合、信号処理部１１５は通常、そのプレイアイテム情報に対応する再生区間の再生途中では、禁止されたユーザ操作を受け付けないように、動作する。
【００６２】
なお、あるプレイアイテム情報に対応する再生区間についてのユーザ操作の制限は、そのプレイアイテム情報に付随するユーザ操作制限情報と、そのプレイアイテム情報を含むプレイリスト情報に付随するユーザ操作制限情報との和演算により、定められる。
【００６３】
また、プレイリスト情報において特定された参照先に記録されたデータ（例えば、ボタン画面を含むメニュータイトルのデータ）に、同様のユーザ操作制限情報が記述される場合もある。
【００６４】
ＪＡＲディレクトリには、拡張子ｊａｒが付与されたファイル（＊＊＊＊．ｊａｒ）が存在する。このファイルは、Ｊａｖａ（登録商標）アーカイブファイルである。
【００６５】
ＢＤＪＯディレクトリには、拡張子ｂｄｊｏが付与されたファイル（＊＊＊＊．ｂｄｊｏ）が存在する。このファイルは、ＢＤ−Ｊオブジェクト（ＢＤ−Ｊ  Ｏｂｊｅｃｔ）を格納するファイルである。
【００６６】
ＢＤ−Ｊオブジェクトは、プレイリスト情報により示されるＡＶストリームとアプリケーションとの対応付けにより、タイトルを定義する情報である。ＢＤ−Ｊオブジェクトは、「アプリケーション管理テーブル」と、定義対象のタイトルにおいて再生可能なプレイリスト情報の一覧とを示す。
【００６７】
アプリケーション管理テーブル（ＡＭＴ）とは、「アプリケーションシグナリング」を実現するテーブルである。「アプリケーションシグナリング」とは、ＢＤ−ＲＯＭ１０におけるタイトルをアプリケーションの生存区間として管理し、アプリケーションの起動および終了を司る制御をいう。ここで、生存区間とは、ＢＤ−ＲＯＭ１０に記録されたコンテンツ全体の時間軸において、仮想マシンのヒープメモリ上でアプリケーションが生存し得る区間を示す。また、「生存」とは、そのアプリケーションが、ヒープメモリに読み出されて、仮想マシンによる実行が可能になっている状態をいう。
【００６８】
アプリケーション管理テーブルには、アプリケーションの識別子（アプリケーションＩＤ）、およびそのアプリケーションに属するＪａｖａ（登録商標）アーカイブファイルのＩＤが羅列される。これにより、定義対象のタイトルを生存区間とするアプリケーションが示される。すなわち、１つのアプリケーションは、１つ以上のＪａｖａ（登録商標）アーカイブファイルにより構成される。このようにＢＤ−Ｊオブジェクト内のアプリケーション管理テーブルによりセクタが管理されるＪａｖａ（登録商標）アプリケーションを、「ＢＤ−Ｊアプリケーション」と呼ぶ。
【００６９】
図４は、ｉｎｄｅｘ．ｂｄｍｖファイルとタイトルとの関係を示す図である。
【００７０】
タイトルとは、アプリケーションとＡＶストリームとを組にしてなる再生単位である。ｉｎｄｅｘ．ｂｄｍｖファイルには、ＢＤ−ＲＯＭ１０上のタイトル構成が記載されている。ｉｎｄｅｘ．ｂｄｍｖに含まれるインデックステーブル（Ｉｎｄｅｘ  Ｔａｂｌｅ）においては、ＢＤ−ＲＯＭ１０上の各タイトルと、対応するアプリケーションとの参照関係が管理されている。なお、対応するアプリケーションとは、ＢＤ−Ｊタイトルの場合はＪａｖａ（登録商標）アプリケーションであり、ＨＤＭＶタイトルの場合はシナリオプログラムである。
【００７１】
特殊なタイトルとして、「Ｆｉｒｓｔ  Ｐｌａｙｂａｃｋ」（ファーストプレイバック）と「Ｔｏｐ  Ｍｅｎｕ」（トップメニュー）とが存在する。ファーストプレイバックは、ＢＤ−ＲＯＭ１０の起動時に最初に自動的に再生されるタイトルである。ファーストプレイバックは主に、ＢＤの利用規約表示などに用いられる。トップメニューは、リモコンのメニューキーを押したときおよびタイトル再生が終了したときに再生され、主にタイトルの選択および字幕／音声の言語選択を行うことに用いられる。
【００７２】
なお、図４においては、ファーストプレイバックは、ムービーオブジェクト＃１、＃２、＃３およびＢＤ−Ｊオブジェクト＃１、＃２、＃３のうち、ムービーオブジェクト＃１により定義されるものである。ファーストプレイバックを再生するにはムービーオブジェクト＃１を参照する必要がある。また、トップメニューは、ＢＤ−Ｊオブジェクト＃１により定義されるものであり、トップメニューを再生するにはＢＤ−Ｊオブジェクト＃１を参照する必要がある。また、タイトル＃１は、ＢＤ−Ｊオブジェクト＃２により定義されるものであり、タイトル＃１を再生するにはＢＤ−Ｊオブジェクト＃２を参照する必要がある。また、タイトル＃ｎは、ムービーオブジェクト＃３により定義されるものであり、タイトル＃ｎを再生するにはムービーオブジェクト＃３を参照する必要がある。
【００７３】
次いで、再生装置１００の動作モードが再生モードであるときにモニタ１３により出力される画面について、幾つかの例を挙げて説明する。
【００７４】
図５は、ＢＤ−ＲＯＭ１０に記録されたデータに基づくタイトル再生画面の一例を示す図である。つまり、モニタ１３には、ＢＤ−ＲＯＭ１０に記録されたデータからデコードされた映像データに基づいて映像が表示される。
【００７５】
図６は、マスク画面の一例を示す図である。車載型の光ディスク再生装置では通常、車両走行中に運転者がタイトル再生画面を注視することがないよう、別の映像（これを「マスク画面」という）を表示することによりタイトル再生画面をマスクする。すなわち、マスク画面は、走行中の安全のために表示される画面である。これにより運転者は、再生中のタイトルの音声のみを安全に楽しむことができる。マスク画面では通常、背景の領域全体が不透明に塗りつぶされるため、モニタ１３からマスク画面が出力されるときは他の映像は出力されない。マスク画面の内容は、信号処理部１１５の画面情報保持部１２１に保持された画面情報（マスク画面情報）に基づいている。
【００７６】
図７は、ディスク交換要求画面の一例を示す図である。ディスク交換要求画面は、前述のとおり、タイトルが複数枚の光ディスクにより構成されている場合において、ユーザがタイトルの続きを視聴できるよう次の光ディスクに入れ替えることをユーザに促すテキストメッセージを含む画面である。このディスク交換要求画面の内容は、信号処理部１１５の画面情報保持部１２１に保持された画面情報（ディスク交換要求画面情報）に基づいている。
【００７７】
一般に、ＢＤ−Ｊタイトルが複数枚のＢＤ−ＲＯＭ１０により構成されている場合、最後の１枚を除く全てのＢＤ−ＲＯＭ１０にディスクアンバウンドの機能が実装される。しかし、ＢＤ−ＲＯＭ１０に記録されたデータに基づくディスク交換要求画面は、マスク画面の出力中は出力不可能である。このことに鑑み、本実施の形態では、マスク画面の出力中でも出力可能なディスク交換要求画面のベースとなるディスク交換要求画面情報を、マスク画面情報と同様に、再生装置１００内に保持させたものである。
【００７８】
図８は、再生装置１００の動作モードが再生モードであるが再生が停止されている場合、あるいは、再生装置１００の動作モードが再生モードであるが光ディスクが挿入されていない場合に、出力される画面（再生停止状態通知画面）の一例を示す図である。この再生停止状態通知画面の内容は、信号処理部１１５の画面情報保持部１２１に保持された画面情報（再生停止状態通知画面情報）に基づいている。
【００７９】
図９は、取扱判断選択画面の一例を示す図である。取扱判断選択画面は、ディスク交換要求画面（図７）の表示中に光ディスクが収容された状態のままユーザが再生装置１００の電源を切った後、再び電源を入れたとき、収容された光ディスクを再生する前にモニタ１１３に出力される画面である。また、取扱判断選択画面は、ディスク交換要求画面（図７）の表示中に光ディスクが収容された状態のままユーザが再生装置１００の動作モードを再生モードから他モードに切り替えた後、再び再生モードに切り替えたときにも、収容された光ディスクを再生する前にモニタ１１３に出力される。
【００８０】
取扱判断選択画面は、ディスクトレイ１０１に収容されている光ディスクを再生するか、タイトルを構成する他の光ディスクに入れ替えるかを選択するようユーザに促す内容である。当該画面がモニタ１１３に出力されているときにユーザが「もう一度最初から再生」を選択すると、光ディスクの先頭から再生が開始される。一方、ユーザが「ディスクを交換」を選択すると、ＢＤ−Ｊタイトルの再生が停止される。
【００８１】
再生装置１００の動作モードが再生モードであるとき、再生装置１００においては、上記の画面のいずれかを選択的に出力する画面表示制御が行われる。
【００８２】
図１０〜図１３は、再生装置１００の画面表示制御の動作を説明するためのフロー図である。
【００８３】
まず、ステップＳ１００では、ＢＤ−Ｊアプリケーションが記録されたＢＤ−ＲＯＭ１０が再生装置１００に挿入されて、ＢＤ−Ｊタイトルの再生が開始される。ＢＤ−ＲＯＭ１０の挿入後、自動的にＢＤ−Ｊタイトルの再生を開始させてもよいし、ユーザによる再生操作をトリガとしてＢＤ−Ｊタイトルの再生を開始させてもよい。
【００８４】
再生開始後、ステップＳ１０１では、信号処理部１１５は、タイトル再生中であるか否かを判断する。再生中である場合は（Ｓ１０１：Ｙｅｓ）、画面表示制御の処理はステップＳ１０３に進む。再生中でない場合は（Ｓ１０１：Ｎｏ）、信号処理部１１５は、再生停止状態通知画面（図８）をモニタ１３に出力させる（ステップＳ１２１）。
【００８５】
ステップＳ１０３では、信号処理部１１５は、走行状態センサ２０から取得された現在の走行状態情報に基づいて、車両走行中か否かを判断する。
【００８６】
車両走行中である場合（Ｓ１０３：Ｙｅｓ）、信号処理部１１５は、マスク画面（図６）をモニタ１３に出力させる（ステップＳ１０５）。よって、この場合、ユーザは、ＢＤ−Ｊタイトルの音声を聴くことはできるが、ＢＤ−Ｊタイトルの映像を見ることはできない。
【００８７】
車両走行中でない場合（Ｓ１０３：Ｎｏ）、信号処理部１１５は、タイトル再生画面（図５）をモニタ１３に出力させる（ステップＳ１２３）。よって、この場合、ユーザは、ＢＤ−Ｊタイトルの映像および音声を視聴することができる。そして、画面表示制御の処理はステップＳ１０１に戻る。
【００８８】
ステップＳ１０５に続いて、ステップＳ１０７では、信号処理部１１５は、無音状態監視タイマ１２４を初期化する。
【００８９】
ステップＳ１０７に続いて、ステップＳ１０９では、信号処理部１１５は、ユーザにより他モードへの切替操作が行われたか否かを判断する。他モードへの切替操作が行われた場合（Ｓ１０９：Ｙｅｓ）はステップＳ４０１に進む。一方、他モードへの切替操作が行われていない場合（Ｓ１０９：Ｎｏ）はステップＳ１１１に進む。
【００９０】
ステップＳ１１１では、信号処理部１１５は、ＢＤ−Ｊタイトル再生中にユーザによりイジェクト操作が行われたか否かを判断する。ここで、イジェクト操作とは、再生装置１００から光ディスクを排出させる操作である。イジェクト操作が行われた場合（Ｓ１１１：Ｙｅｓ）はステップＳ４０３に進む。一方、イジェクト操作が行われていない場合（Ｓ１１１：Ｎｏ）はステップＳ１１３に進む。
【００９１】
そして、ステップＳ１１３では、信号処理部１１５は、ＢＤ−Ｊタイトル再生中にユーザにより停止操作が行われたか否かを判断する。ここで、停止操作とは、タイトル再生を停止させる操作である。
【００９２】
停止操作が行われた場合（Ｓ１１３：Ｙｅｓ）、ＢＤ−Ｊタイトルの再生が停止されるため、信号処理部１１５は、再生停止状態通知画面（図８）をモニタ１３に出力させる（ステップＳ１２１）。すなわち、この場合は、モニタ１３の出力画面が、マスク画面（走行中の場合）またはタイトル再生画面（停車中の場合）から再生停止状態通知画面に切り替えられる。
【００９３】
停止操作が行われていない場合（Ｓ１１３：Ｎｏ）、信号処理部１１５は、タイトル再生中であるか否かを判断する（ステップＳ１１５）。
【００９４】
再生中でない場合は（Ｓ１１５：Ｎｏ）、信号処理部１１５は、再生停止状態通知画面（図８）をモニタ１３に出力させる（ステップＳ１２１）。すなわち、この場合は、モニタ１３の出力画面が、マスク画面（走行中の場合）またはタイトル再生画面（停車中の場合）から再生停止状態通知画面に切り替えられる。
【００９５】
再生中である場合は（Ｓ１１５：Ｙｅｓ）、信号処理部１１５は、走行状態センサ２０から取得された現在の走行状態情報に基づいて、車両走行中か否かを判断する（ステップＳ１１７）。
【００９６】
車両走行中でない場合（Ｓ１１７：Ｎｏ）、信号処理部１１５は、タイトル再生画面（図５）をモニタ１３に出力させる（ステップＳ１２３）。すなわち、車両が走行状態から停車状態に移行した場合は、モニタ１３の出力画面はマスク画面からタイトル再生画面に切り替えられる。また、車両が元々停車状態であった場合は、モニタ１３の出力画面は引き続きタイトル再生画面である。
【００９７】
車両走行中である場合（Ｓ１１７：Ｙｅｓ）、信号処理部１１５は、再生中のＢＤ−Ｊタイトルのデコードされた音声データが無音状態であるか否かを判断する（ステップＳ１１９）。
【００９８】
無音状態でない場合（Ｓ１１９：Ｎｏ）、画面表示制御の処理はステップＳ１０１に戻る。
【００９９】
無音状態である場合（Ｓ１１９：Ｙｅｓ）、信号処理部１１５は、無音状態の持続時間が、予め定められた閾値（例えば３０秒）を超えたか否かを判断する（ステップＳ１２５）。
【０１００】
無音状態の持続時間が閾値を超えていない場合（Ｓ１２５：Ｎｏ）、画面表示制御の処理はステップＳ１０９に戻る。
【０１０１】
無音状態の持続時間が閾値を超えていた場合（Ｓ１２５：Ｙｅｓ）、信号処理部１１５は、ＢＤ−ＲＯＭ１０において、ＢＤ−Ｊアプリケーションを参照し、当該ＢＤ−Ｊアプリケーションにディスクアンバウンド情報が格納されているか否かを判断する（ステップＳ１２７）。
【０１０２】
ここで、ディスクアンバウンド情報とは、ＢＤ−ＲＯＭ１０にディスクアンバウンドの機能が実装されていることを示す情報を意味する。すなわち、この情報は、ディスクアンバウンドの機能が実行されるように設計されたプログラムの論理構造であってもよいし、ディスクアンバウンドの機能の存在を明示する記述子であってもよい。
【０１０３】
ディスクアンバウンド情報が格納されていない場合（Ｓ１２７：Ｎｏ）、画面表示制御の処理はステップＳ１０７に戻る。
【０１０４】
ディスクアンバウンド情報が格納されている場合（Ｓ１２７：Ｙｅｓ）、信号処理部１１５は、ＢＤ−Ｊタイトルの再生終端位置を検知したと判断して、ディスク交換要求画面（図７）をモニタ１３に出力させる（ステップＳ１２９）。すなわち、モニタ１３の出力画面は、マスク画面からディスク交換要求画面に切り替えられる。次に、信号処理部１１５は、ＢＤ−Ｊアンバウンド検出状態を示す情報を再生装置１００が有する不揮発性メモリ（図示せず）に格納する（ステップＳ１３１）。
【０１０５】
ステップＳ１３１に続いて、ステップＳ２０１では、信号処理部１１５は、ディスク交換要求画面の表示中にユーザによりイジェクト操作が行われたか否かを判断する。イジェクト操作が行われた場合（Ｓ２０１：Ｙｅｓ）はＳ４０１に進む。一方、イジェクト操作が行われていない場合（Ｓ２０１：Ｎｏ）はステップＳ２０３に進む。
【０１０６】
ステップ２０３では、信号処理部１１５は、ディスク交換要求画面の表示中にユーザにより再生装置１００の電源オフ操作が行われたか否かを判断する。電源オフ操作が行われた場合（Ｓ２０３：Ｙｅｓ）はステップＳ２０５に進む。電源オフ操作が行われていない場合（Ｓ２０３：Ｎｏ）はステップＳ２０１に戻る。ステップＳ２０５では、信号処理部１１５は、ユーザにより再生装置１００の電源オン操作が行われたか否かを判断する。電源オン操作が行われた場合（Ｓ２０５：Ｙｅｓ）はＳ３０１に進む。
【０１０７】
ステップＳ３０１では、信号処理部１１５は、ＢＤ−Ｊタイトルの起動を開始する。次に、信号処理部１１５は、ステップＳ１３１で保存したＢＤ−Ｊアンバウンド検出状態を示す情報を不揮発性メモリから読み出す（ステップＳ３０３）。信号処理部１１５は、当該情報がＢＤ−Ｊアンバウンド検出状態を示すか否かを判断する（ステップＳ３０５）。
【０１０８】
ＢＤ−Ｊアンバウンド検出状態であれば（Ｓ３０５：Ｙｅｓ）、信号処理部１１５は、取扱判断選択画面（図９）をモニタ１３に出力させる（ステップＳ３０７）。取扱判断選択画面に応じて、ユーザがＢＤ−Ｊタイトルを再生するよう選択した際（ステップＳ３０９：Ｙｅｓ）にはステップＳ３１１に進み、光ディスクの入れ替えを選択した際（ステップＳ３０９：Ｎｏ）にはステップＳ４０７に進む。ステップＳ３１１では、信号処理部１１５は、ＢＤ−Ｊアンバウンド検出状態を示す情報を不揮発性メモリから消去する。
【０１０９】
ＢＤ−Ｊアンバウンド検出状態でないとき（Ｓ３０５：Ｎｏ）又はステップＳ３１１の後、信号処理部１１５は、ＢＤ−Ｊタイトルの再生を開始する（ステップＳ３１３）。次に、信号処理部１１５は、走行状態センサ２０から取得された現在の走行状態情報に基づいて、車両走行中か否かを判断する（ステップＳ３１５）。車両走行中である場合（Ｓ３１５：Ｙｅｓ）、信号処理部１１５は、マスク画面（図６）をモニタ１３に出力させる（ステップＳ３１７）。一方、車両走行中でない場合（Ｓ３１５：Ｎｏ）、信号処理部１１５は、タイトル画面（図５）をモニタ１３に出力させる（ステップＳ３１９）。
【０１１０】
ステップＳ１０９で他モードへの切替操作が行われたと判断された場合（ステップＳ１０９：Ｙｅｓ）、又は、ステップＳ２０１でイジェクト操作が行われたと判断された場合（ステップＳ２０１：Ｙｅｓ）、ステップＳ４０１に進む。ステップＳ４０１で、信号処理部１１５は、ＢＤ−Ｊタイトルの再生を停止する。
【０１１１】
また、ステップＳ１１１でイジェクト操作が行われたと判断された場合（ステップＳ１１１：Ｙｅｓ）、ステップＳ４０３に進む。ステップＳ４０３で、信号処理部１１５は、ＢＤ−Ｊのアンバウンドアプリケーションが起動しているか否かを判断する。アンバウンドアプリケーション起動中の場合（ステップＳ４０３：Ｙｅｓ）、信号処理部１１５は、ＢＤ−Ｊアンバウンド検出状態を示す情報を不揮発性メモリに格納する（ステップＳ４０５）。一方、アンバウンドアプリケーションが起動していない場合（ステップＳ４０３：Ｎｏ）はステップＳ４０７に進む。
【０１１２】
ステップＳ３０９で再生が選択されずディスクの交換が選択された場合（ステップＳ３０９：Ｎｏ）、ステップＳ４０１若しくはＳ４０５の後、又は、ステップＳ４０３でアンバウンドアプリケーションが起動していないと判断された場合、信号処理部１１５は、光ディスクの回転を停止するためのブレーキ処理を行う（ステップＳ４０７）。次に、信号処理部１１５は、再生装置１００の電源オフ操作が行われたか否かを判断する（ステップＳ４０９）。電源オフ操作が行われた場合（Ｓ４０９：Ｙｅｓ）はステップＳ２０５に進む。電源オフ操作が行われていない場合（Ｓ４０９：Ｎｏ）はステップＳ４１１に進む。
【０１１３】
ステップＳ４１１では、信号処理部１１５は、光ディスクの回転数がしきい値以下になったかを判断する。光ディスクの回転数がしきい値以下の場合（ステップＳ４１１：Ｙｅｓ）はステップＳ４１３に進み、しきい値より大きい場合（ステップＳ４１１：Ｎｏ）はステップＳ４０７に戻る。ステップＳ４１３では、信号処理部１１５は、再生装置１００の電源オフ操作が行われたか否かを判断する。電源オフ操作が行われた場合（Ｓ４１３：Ｙｅｓ）はステップＳ２０５に進む。電源オフ操作が行われていない場合（Ｓ４１３：Ｎｏ）はステップＳ４１５に進む。
【０１１４】
ステップＳ４１５では、信号処理部１１５は、再生装置１００の動作モードが他モードの状態か否かを判断する。他モードの場合（Ｓ４１５：Ｙｅｓ）はＳ２０７に進み、再生モードの場合（Ｓ４１５：Ｎｏ）はステップＳ３２１に進む。ステップＳ２０７では、信号処理部１１５は、ユーザによりイジェクト操作が行われたか否かを判断する。イジェクト操作が行われた場合（Ｓ２０７：Ｙｅｓ）はＳ２０９に進む。一方、イジェクト操作が行われていない場合（Ｓ２０７：Ｎｏ）はステップＳ３２１に進む。ステップＳ２０９では、信号処理部１１５は、再生措置１００が他モードから再生モードへの切替操作が行われたか否かを判断する。当該切替操作が行われた場合（ステップＳ２０９：Ｙｅｓ）はステップＳ３０１に進み、当該切替操作が行われていない場合（ステップＳ２０９：Ｎｏ）はステップＳ２０７に戻る。
【０１１５】
ステップＳ２０７でイジェクト操作が行われていない判断された場合、又は、ステップＳ４１５で再生モードと判断された場合、信号処理部１１５は、ＢＤ−Ｊアンバウンド検出状態を示す情報を不揮発性メモリから消去する（ステップＳ３２１）。次に、信号処理部１１５は、ディスクトレイ１０１から光ディスクを排出し（ステップＳ３２３）、再生停止状態通知画面（図８）をモニタ１３に出力する（ステップＳ３２５）。
【０１１６】
このように、図１０〜図１３に示すシーケンスに従って画面表示制御を行うことにより、状況に応じた適切な画面をモニタ１３に表示することができる。特に、本実施の形態では、ディスク交換要求画面（図７）の表示中に、複数の光ディスクから構成されるＢＤ−Ｊタイトルの一枚がディスクトレイ１０１に収容された状態のまま、ユーザが再生装置１００の電源を切って再び電源を入れたとき、信号処理部１１５は、収容されている光ディスクを再生するか入れ替えるかの判断をユーザに促す取扱判断選択画面（図９）をモニタ１３に出力する。同様に、ディスク交換要求画面（図７）の表示中に、複数の光ディスクから構成されるＢＤ−Ｊタイトルの一枚がディスクトレイ１０１に収容された状態のまま、ユーザが再生モード以外のモードに切り替えて再生モードに再び切り替えたときも、信号処理部１１５は、取扱判断選択画面（図９）をモニタ１３に出力する。このように、収容されている光ディスクが無条件に先頭から再生されてしまうことなく、当該光ディスクの取り扱いについてのユーザの判断を仰ぐＵＩ（User Interface）を提供できる。
【０１１７】
なお、本実施の形態では、再生装置１００に挿入されているＢＤ−ＲＯＭ１０においてＢＤ−Ｊアプリケーションにディスクアンバウンド情報が格納されていることを条件として、ディスク交換要求画面（図７）又は取扱判断選択画面（図９）を出力させる制御が行われる。
【０１１８】
ところで、ディスク交換要求画面が一旦表示されると、ディスク交換要求画面の表示状態は、予め定められたイベント（ユーザ操作または状態変化）が発生するまで持続する。所定のイベントが発生したときに、信号処理部１１５は、ディスク交換要求画面の出力状態を解除する。以下、その解除条件について説明する。
【０１１９】
なお、以下の説明では、便宜上、信号処理部１１５の画面情報保持部１２１に保持されたディスク交換要求画面情報に基づくディスク交換要求画面を「新型のディスク交換要求画面」という。一方、ディスクアンバウンド情報が格納されているＢＤ−ＲＯＭに記録されたデータに基づくディスク交換要求画面を「従来型のディスク交換要求画面」という。
【０１２０】
新型のディスク交換要求画面の出力状態は、下記３つのイベントのうちいずれか１つが発生したことを条件として解除される。３つのイベントは、ユーザによる停止操作、ユーザによるイジェクト操作、および車両の停車である。
【０１２１】
ユーザが停止操作を行ったときには、出力画面は、新型のディスク交換要求画面から、別の画面に切り替えられる。切替後の出力画面は、再生停止状態通知画面である。停止操作によって、タイトルの再生が停止されるからである。
【０１２２】
また、ユーザがイジェクト操作を行ったときにも、出力画面は、新型のディスク交換要求画面から、別の画面に切り替えられる。この状況下では通常、バックグラウンドで従来型のディスク交換要求画面が再生されている。よって、切替後の出力画面は、従来型のディスク交換要求画面である。したがって、新型のディスク交換要求画面の出力状態を解除しても、引き続きディスク交換をユーザに要求することができる。
【０１２３】
イジェクト操作をトリガとして出力画面が従来型のディスク交換要求画面に切り替えられた後は、従来型のディスク交換要求画面の出力がキャッシュトパッケージ（Ｃａｃｈｅｄ  Ｐａｃｋａｇｅ）により継続されることになるが、この点は従来技術と同様である。すなわち、従来型のディスク交換要求画面の出力中にユーザがＢＤ−ＲＯＭの入替を行うと、ディスク判別、ファイルシステム解析およびＢＤ−Ｊアプリケーション解析を経て、ＢＤ−Ｊタイトルの続きが再生されることとなる。
【０１２４】
また、車両が停車したときにも、出力画面は、新型のディスク交換要求画面から、別の画面に切り替えられる。この状況下では通常、バックグラウンドで従来型のディスク交換要求画面が再生されている。よって、切替後の出力画面は、従来型のディスク交換要求画面である。したがって、新型のディスク交換要求画面の出力状態を解除しても、引き続きディスク交換をユーザに要求することができる。
【０１２５】
なお、停車をトリガとして出力画面が従来型のディスク交換要求画面に切り替えられた後、ユーザが停止操作を行った場合は、出力画面は再生停止状態通知画面にさらに切り替えられる。
【０１２６】
また、停車をトリガとして出力画面が従来型のディスク交換要求画面に切り替えられた後、ユーザがイジェクト操作を行った場合は、従来型のディスク交換要求画面の出力がキャッシュトパッケージにより継続されることになるが、この点は従来技術と同様である。すなわち、従来型のディスク交換要求画面の出力中にユーザがＢＤ−ＲＯＭの入替を行うと、ディスク判別、ファイルシステム解析およびＢＤ−Ｊアプリケーション解析を経て、ＢＤ−Ｊタイトルの続きが再生されることとなる。
【０１２７】
また、停車をトリガとして出力画面が従来型のディスク交換要求画面に切り替えられた後、ユーザ操作が何ら行われない間に車両が発車した場合は、あらためて図６に示すシーケンスが実行されることとなる。すなわち、車両走行中かつタイトル再生中の状態に戻るため、出力画面がマスク画面となり、さらに所定時間が経過すると出力画面が再び新型のディスク交換要求画面となる。
【０１２８】
このように、本実施の形態では、新型のディスク交換要求画面の出力状態を、予め定められたイベントの発生を条件として、適切なタイミングで解除することができる。
【０１２９】
以上、本発明の実施の形態について説明した。なお、各実施の形態は、種々変更して実施することができる。
【産業上の利用可能性】
【０１３０】
本発明の光ディスク再生装置は、ＢＤ−ＲＯＭディスクなどの記録媒体に記録されたデータを再生する光ディスク再生装置として有用である。
【符号の説明】
【０１３１】
１００  再生装置
１０１  ディスクトレイ
１１１  ピックアップ
１１２  サーボ
１１５  信号処理部
１１６  出力部
１１７  入力信号受信部
１１８  走行状態情報取得部
１２１  画面情報保持部
１２２  再生終端位置検知部
１２３  ユーザ操作部
１２４  無音状態監視タイマ
【図１】
2012190524.tif 000003
【図２】
2012190524.tif 000004
【図３】
2012190524.tif 000005
【図４】
2012190524.tif 000006
【図５】
2012190524.tif 000007
【図６】
2012190524.tif 000008
【図７】
2012190524.tif 000009
【図８】
2012190524.tif 000010
【図９】
2012190524.tif 000011
【図１０】
2012190524.tif 000012
【図１１】
2012190524.tif 000013
【図１２】
2012190524.tif 000014
【図１３】
2012190524.tif 000015